(57)【要約】【課題】鶏などの飼育鳥獣の糞、および残飯などを同時に堆肥として資源化処理できる資源循環型飼育ユニットを提供する。【解決手段】鳥獣を飼育する飼育小屋１と、堆肥化部２と、換気設備３と、ベースＢとを備えてなる資源循環型飼育ユニットＵであって、飼育小屋１と、堆肥化部２とはベースＢ上に配設され、飼育小屋１は、飼育部１１と飼育部１１に連設された前室１２とを有し、堆肥化部２は、主として飼育されている鳥獣の糞を堆肥化するよう構成され、換気設備３は、脱臭フィルタ３１と換気ファン３２を有して飼育室１の屋根に配設されてなる資源循環型飼育ユニットＵである。【選択図】図１
2014180272.tif 000002
【特許請求の範囲】
【請求項１】
鳥獣を飼育する飼育小屋と、堆肥化部と、換気設備と、ベースとを備えてなる資源循環型飼育ユニットであって、
前記飼育小屋と、前記堆肥化部とは前記ベース上に配設され、
前記飼育小屋は、飼育部と前記飼育部に連設された前室とを有し、
前記堆肥化部は、主として飼育されている鳥獣の糞を堆肥化するよう構成され、
前記換気設備は、脱臭フィルタと換気ファンとを有して飼育室の屋根に配設されてなる
ことを特徴とする資源循環型飼育ユニット。
【請求項２】
飼育部は飼育している鳥獣の糞尿を落下させるよう構成されてなることを特徴とする請求項１記載の資源循環型飼育ユニット。
【請求項３】
飼育部から落下してくる糞尿を乾燥させて堆肥化部に搬送させる搬送手段を備えてなることを特徴とする請求項２記載の資源循環型飼育ユニット。
【請求項４】
堆肥化部に堆肥化可能な家庭から出る生ごみも供給されるように構成されてなることを特徴とする請求項１記載の資源循環型飼育ユニット。
【請求項５】
飼育室が壁面から構成されてなることを特徴とする請求項１記載の資源循環型飼育ユニット。
【請求項６】
飼育部の壁面は、一部または全面が透明とされてなることを特徴とする請求項５記載の資源循環型飼育ユニット。
【請求項７】
請求項１ないし請求項６のいずれか一項に記載の資源循環型飼育ユニットを一体化して備えてなることを特徴とする住宅。
【請求項８】
資源循環型飼育ユニットが台所に隣接させて備えられてなることを特徴とする請求項７記載の住宅。
【発明の詳細な説明】
【技術分野】
【０００１】
本発明は資源循環型飼育ユニットに関する。さらに詳しくは、飼育ユニットで飼育されている鶏などの鳥からの排泄物や食べ残しを、資源として活用できるようにする資源循環型飼育ユニットに関する。
【背景技術】
【０００２】
従来より、鶏などの飼育は、屋外に設置された鶏小屋でなされている。そのため、鶏小屋から発生する悪臭や排泄物などにより周囲の環境が汚染されている。
【０００３】
かかる従来の鶏小屋による環境汚染を解消すべく、特許文献１には、下部に水槽を設けた飼育設備が提案されている。
【０００４】
しかしながら、特許文献１の提案に係る飼育設備においては、水槽を用いているため、設備が大掛かりなものとなるとともに、鶏の糞を菜園などに用いる堆肥にできないという問題がある。
【先行技術文献】
【特許文献】
【０００５】
【特許文献１】特開２００２−１７１８８号公報
【発明の開示】
【発明が解決しようとする課題】
【０００６】
本発明はかかる従来技術の課題に鑑みなされたものであって、鶏などの飼育鳥獣の糞、および残飯や生ごみなどを同時に堆肥として資源化処理できる資源循環型飼育ユニットを提供することを目的としている。
【課題を解決するための手段】
【０００７】
本発明は、鳥獣を飼育する飼育小屋と、堆肥化部と、換気設備と、ベースとを備えてなる資源循環型飼育ユニットであって、前記飼育小屋と、前記堆肥化部とは前記ベース上に配設され、前記飼育小屋は、飼育部と前記飼育部に連設された前室とを有し、前記堆肥化部は、主として飼育されている鳥獣の糞を堆肥化するよう構成され、前記換気設備は、脱臭フィルタと換気ファンとを有して飼育室の屋根に配設されてなることを特徴とする。
【０００８】
本発明においては、飼育部は飼育している鳥獣の糞尿を落下させるよう構成されてなるのが好ましい。
【０００９】
また、本発明においては、飼育部から落下してくる糞尿を乾燥させて堆肥化部に搬送させる搬送手段を備えてなるのが好ましい。
【００１０】
また、本発明においては、堆肥化部に堆肥化可能な家庭から出る生ごみも供給されるように構成されてなるのが好ましい。
【００１１】
また、本発明においては、飼育室が壁面から構成されてなるのが好ましい。その場合、飼育部の壁面は、一部または全面が透明とされてなるのがさらに好ましい。
【００１２】
しかして、本発明の資源循環型飼育ユニットは、例えば台所に隣接させられて住宅と一体化される。
【発明の効果】
【００１３】
本発明は前記の如く構成されているので、飼育されている鳥獣の糞を堆肥として利用可能とでき、資源の循環が促進されるという優れた効果を奏する。
【００１４】
また、本発明の好ましい形態によれば、家庭からでる堆肥化可能な生ごみも同時に堆肥とするようにされているので、家庭から出るごみの量を低減できるという優れた効果を奏する。
【図面の簡単な説明】
【００１５】
【図１】本発明の一実施形態に係る資源循環型飼育ユニットのブロック図である。
【図２】同概略図である。
【図３】同実施形態に係る資源循環型飼育ユニットの平面図である。
【図４】同長手方向断面図である。
【図５】同横方向断面図である。
【図６】ドラム回転式コンポストの概略図である。
【発明を実施するための形態】
【００１６】
以下、添付図面を参照しながら本発明を実施形態に基づいて説明するが、本発明はかかる実施形態のみに限定されるものではない。
【００１７】
本発明の一実施形態に係る資源循環型飼育ユニット(以下、単にユニットという)Ｕを図１に示す。なお、本実施形態では、飼育される鳥獣は鶏とされる。
【００１８】
ユニットＵは、図１および図２に示すように、飼育小屋１と、堆肥化部２と、換気設備３と、ベースＢとを主要構成要素として備えてなるものとされる。
【００１９】
飼育小屋１は、図２に示すように、上部と下部から構成されてベースＢの上に支柱を介して配設されてなるものとされ、上部には飼育室１１と飼育室１１に連設された前室１２とが備えられ、下部には主として鶏の糞尿を堆積・乾燥させて搬出する搬送手段としてのベルトコンベア１３と、堆肥化部２とが備えられてなるものとされる。堆肥化部２は、ベルトコンベア１３の搬出口の下方に配設されている。
【００２０】
飼育室１１は、図３−５に示すように、前壁Ｗｆと、側壁Ｗｓと、後壁Ｗｂと、前室１２との仕切り壁Ｗｄと、底板Ｍと、天井板Ｃとを備える飼育する鶏の活動に支障のないサイズの直方体状とされている。
【００２１】
前壁Ｗｆは、一部または全面が透明とされて外側から飼育室１１の内部が観察できるようにされている。なお、前壁Ｗｆの透明とされている箇所の外側に雨戸が設けられてもよい。
【００２２】
底板Ｍは、糞尿を下部のベルトコンベア１３に落下させることができるようにされている。例えば、底板Ｍはエキスパンドメタルにより構成されている。また、底板Ｍには、餌箱６、水飲み７、止まり木８、巣箱９が配設されている。
【００２３】
餌箱６および水飲み７は、例えば、後壁Ｗｂに沿わせて配設されている。餌箱６の高さは、飼育されている鶏が餌を啄ばむことができ、しかも脚を入れることがないよう調整されている。また、水飲み７の高さも同様とされている。
【００２４】
餌としては、市販されている飼料の他、家庭からでる野菜の切れ端、卵の殻などの調理屑も利用される。
【００２５】
後壁Ｗｂの餌箱６の上方に対応する位置には、餌やりための開閉自在な窓１４が配設されている。また、後壁Ｗｂの水飲み７の上方に対応する位置には、補給水供給ノズル(図示省略)が配設されている。
【００２６】
巣箱９は、側壁Ｗｓの後壁Ｗｂ寄りに配設されている。巣箱９は卵を産ませる時にのみ設けるものとされる。これは、巣箱９の汚染を避けるためである。そのため、側壁Ｗｓ下部には開閉自在とされた巣箱出し入れ窓１５が配設されるとともに、側壁Ｗｓの外側には、巣箱９を載置するための巣箱載置部１６が配設されている。
【００２７】
天井板Ｃには、より正確には天井板Ｃから屋根を貫通させて換気孔１７が千鳥配列にて配設されている。換気孔１７には、換気設備３を構成する脱臭フィルタ３１と換気ファン３２が配設されている(図２および図４参照)。
【００２８】
仕切り壁Ｗｄは、前室１２から飼育室１１が観察できるよう透明な窓が設けられるとともに、飼育室１１と前室１２との出入りのための扉１８が設けられている。なお、仕切り壁Ｗｄは金網構成とされてもよい。
【００２９】
前室１２は、図３−５に示すように、前壁Ｗｆと、側壁Ｗｓと、後壁Ｗｂと、底板Ｍと、天井板Ｃとを備える直方体状とされ、図示はされていないが、飼育室１１を掃除するための掃除道具が備えられているとともに、掃除道具などを洗う洗い場が設けられてなるものとされる。
【００３０】
前壁Ｗｆおよび後壁Ｗｂは飼育室１１の前壁Ｗｆおよび後壁Ｗｂとそれぞれ一体化され、側壁Ｗｓには前室１２への出入りのための扉１８が設けられている。扉１８の前には、消毒用マット１９が配設されている。
【００３１】
天井板Ｃは飼育室１２の天井板Ｃと一体化されるとともに、換気孔１７が千鳥配列にて配設されている。換気孔１７には、換気設備３を構成する脱臭フィルタ３１と換気ファン３２が配設されている(図２参照)。
【００３２】
底板Ｍは、例えば鉄板とされる。
【００３３】
ベルトコンベア１３は、図５に示すように、飼育室１１の底板Ｍから落下してくる糞尿を受け取ることができる幅を有するものとされ、支持手段を介してベースＢに支持されている。
【００３４】
堆肥化部２は、図６に示すように、加熱機を有するドラム回転式コンポスト２０とされ、ベルトコンベア１３からの乾燥鶏糞が投入される投入口が設けられた前部２１と、回転ドラム本体２２と、堆肥が排出される排出口が設けられた後部２３とを含むもとされる。ドラム回転式コンポスト２０は、投入口が高くなるようにして斜めに設置される。投入口および排出口には、投入口および排出口を自動で開閉できるシャッターあるいは蓋がそれぞれ設けられている。
【００３５】
加熱機は、例えば回転ドラム本体２０の外周に巻き付けられた電気ヒータとされる。
【００３６】
堆肥化部２で生成された堆肥は、例えば家庭菜園に利用される。
【００３７】
なお、コンポストは、鶏糞を堆肥化できる機器であれば適宜とでき、ドラム回転式コンポスト２０に限定されるものではない。
【００３８】
このように、本実施形態によれば、鶏を飼育する飼育小屋１１を壁面Ｗにより構成するとともに、天井（屋根）に脱臭フィルタ３１を備えた換気設備３を設けているので、周囲に悪臭を及ぼすことはない。また、鶏糞はコンポスト２０を有する堆肥化部２により堆肥としているので、鶏糞による環境汚染も生じない。その上、堆肥化部２により得られた堆肥は菜園などの堆肥として利用できるので、資源循環がなし得る。
【００３９】
以上、本発明を実施形態に基づいて説明してきたが、本発明はかかる実施形態のみに限定されるものではなく、種々改変が可能である。
【００４０】
例えば、本実施形態では、鶏糞のみがコンポスト２０に投入されるようにされているが、家庭からでる堆肥化可能な残飯を含む生ごみもコンポスト２０に投入されるようにされてもよい。
【００４１】
また、本実施形態では、資源循環型飼育ユニットＵは住居と独立させて設けられているが、住居と一体化させられてもよい。その場合、ユニットＵは台所に隣接させて一体化されるのが好ましい。例えば、後壁Ｗｂを台所の背面と兼用するようにされてもよい。
【００４２】
また、本実施形態においては鶏を例に取り説明されているが、飼育される鳥獣は鶏に限定されるものではなく、適宜とでき、例えば豚や兎とすることもできる。
【産業上の利用可能性】
【００４３】
本発明は一次産業および住宅産業に適用できる。
【符号の説明】
【００４４】
Ｕ      ユニット
Ｂ      ベース
Ｃ      天井板
Ｍ      底板
Ｗ      壁面
Ｗｆ    前壁
Ｗｂ    後壁
Ｗｓ    側壁
Ｗｄ    仕切り壁
１      飼育小屋
１１    飼育室
１２    前室
１３    ベルトコンベア
１４    窓
１５    窓
１６    巣箱載置部
１７    換気孔
１８    扉
１９    消毒用マット
２      堆肥化部
２０    ドラム回転式コンポスト
２１    前部
２２    回転ドラム本体
２３    後部
３      換気設備
３１    脱臭フィルタ
３２    換気ファン
６      餌箱
７      水飲み
８      止まり木
９      巣箱
【図１】
2014180272.tif 000003
【図２】
2014180272.tif 000004
【図３】
2014180272.tif 000005
【図４】
2014180272.tif 000006
【図５】
2014180272.tif 000007
【図６】
2014180272.tif 000008